(57)【要約】【課題】１台のサーバ装置にのみライセンスを登録するのみで、ＩＰ電話端末にて任意の機能やハードウェア回路を利用できるようにする。【解決手段】実施形態によれば、サーバ装置は、ライセンス認証部と、送信制御部と、登録制御部と、サービス制御部とを備える。ライセンス認証部は、登録要求に含まれる端末ＩＤと、前記ライセンス記憶部に記憶される端末ＩＤとを比較してライセンス認証を行う。送信制御部は、ライセンス認証部により端末ＩＤが一致した電話端末に対し、ライセンス記憶部から対応するライセンス認証コードを読み出し、当該コードが正当であることをチェックするためのチェック情報を付加したライセンス認証コードを電話端末に送信する。登録制御部は、ライセンス認証コードに付随するチェック情報に基づいて、端末ＩＤと、ライセンス認証コードとを対応付けて管理テーブルに記憶し、または管理テーブルへの記憶を拒否する。【選択図】      図２
2012253454.tif 000002
【特許請求の範囲】
【請求項１】
複数の電話端末と、
これら複数の電話端末を登録し、電話端末間の交換処理に係わる複数の機能または複数のハードウェア回路のうち少なくとも１つの機能またはハードウェア回路の使用を許可するため、あるいは容量を拡張するためのライセンス認証コードを前記電話端末を特定する端末ＩＤに対応付けてライセンス記憶部に記憶し、当該ライセンス記憶部に記憶されたライセンス認証コードに基づいて、前記電話端末に対し該当する機能または該当するハードウェア回路を使用可／不可とする第１のサーバ装置と、
この第１のサーバ装置に対する待機系とする第２のサーバ装置とを具備し、
前記第１のサーバ装置は、
前記複数の電話端末のいずれかから登録要求が送信された時、登録要求に含まれる端末ＩＤと、前記ライセンス記憶部に記憶される端末ＩＤとを比較してライセンス認証を行うライセンス認証部と、
このライセンス認証部により端末ＩＤが一致した電話端末に対し、前記ライセンス記憶部から対応するライセンス認証コードを読み出し、当該コードが正当であることをチェックするためのチェック情報を付加したライセンス認証コードを前記電話端末に送信する送信制御部とを備え、
前記電話端末は、
前記第１のサーバ装置から送られたチェック情報及びライセンス認証コードを記憶する認証コード記憶部と、
登録している第１のサーバ装置に異常が発生したときに、前記第２のサーバ装置に対して登録要求及び前記認証コード記憶部に記憶されているライセンス認証コード及びチェック情報を送信するサーバ切替制御部とを備え、
前記第２のサーバ装置は、
前記電話端末から登録要求が送られた時に、前記電話端末から送られた前記ライセンス認証コードに付随するチェック情報に基づいて、前記端末ＩＤと、前記ライセンス認証コードとを対応付けて管理テーブルに記憶し、または前記管理テーブルへの記憶を拒否する登録制御部と、
前記管理テーブルに記憶されたライセンス認証コードに基づいて、前記電話端末に対し該当する機能または該当するハードウェア回路を使用可／不可とするサービス制御部とを備える電話システム。
【請求項２】
前記第１のサーバ装置の送信制御部は、前記チェック情報として登録時刻情報を前記ライセンス認証コードに付加して前記電話端末に送信し、
前記第２のサーバ装置の登録制御部は、前記電話端末から登録要求が送られた時に、前記電話端末から送られた前記ライセンス認証コードに付随する登録時刻情報が所定期間以内である場合に、前記端末ＩＤと、前記ライセンス認証コードとを対応付けて管理テーブルに記憶し、前記登録時刻情報が所定期間を超える場合に、前記管理テーブルへの記憶を拒否する請求項１記載の電話システム。
【請求項３】
前記第１のサーバ装置の送信制御部は、前記チェック情報として登録時刻情報及び前記ライセンス認証コードの有効期限情報を前記ライセンス認証コードに付加して前記電話端末に送信し、
前記第２のサーバ装置の登録制御部は、前記電話端末から登録要求が送られた時に、前記電話端末から送られた前記ライセンス認証コードに付随する登録時刻情報が有効期限内である場合に、前記端末ＩＤと、前記ライセンス認証コードとを対応付けて管理テーブルに記憶し、前記登録時刻情報が前記有効期限を超える場合に、前記管理テーブルへの記憶を拒否する請求項１記載の電話システム。
【請求項４】
前記第１のサーバ装置の送信制御部は、前記チェック情報として前記ライセンス認証コードの有効期限情報を前記ライセンス認証コードに付加して前記電話端末に送信し、
前記第２のサーバ装置の登録制御部は、前記電話端末から登録要求が送られた時に、現在時刻が前記電話端末から送られた前記ライセンス認証コードに付随する有効期限内である場合に、前記端末ＩＤと、前記ライセンス認証コードとを対応付けて管理テーブルに記憶し、前記現在時刻が前記有効期限を超える場合に、前記管理テーブルへの記憶を拒否する請求項１記載の電話システム。
【請求項５】
前記第２のサーバ装置は、前記登録制御部により前記管理テーブルへの記憶を拒否された電話端末に対し、予め指定された機能または予め指定されたハードウェア回路を使用した通信サービスを許可するサービス割り当て部をさらに備える請求項１記載の電話システム。
【請求項６】
複数の電話端末を登録し、電話端末間の交換処理に係わる複数の機能または複数のハードウェア回路のうち少なくとも１つの機能またはハードウェア回路の使用を許可するため、あるいは容量を拡張するためのライセンス認証コードを前記電話端末を特定する端末ＩＤに対応付けてライセンス記憶部に記憶し、当該ライセンス記憶部に記憶されたライセンス認証コードに基づいて、前記電話端末に対し該当する機能または該当するハードウェア回路を使用可／不可とするサーバ装置であって、
前記複数の電話端末のいずれかから登録要求が送信された時、登録要求に含まれる端末ＩＤと、前記ライセンス記憶部に記憶される端末ＩＤとを比較してライセンス認証を行うライセンス認証部と、
このライセンス認証部により端末ＩＤが一致した電話端末に対し、前記ライセンス記憶部から対応するライセンス認証コードを読み出し、当該コードが正当であることをチェックするためのチェック情報を付加したライセンス認証コードを前記電話端末に送信する送信制御部と、
前記ライセンス認証部により端末ＩＤが一致せずしかも前記電話端末から前記ライセンス認証コード及びチェック情報が送られた時に、前記チェック情報に基づいて、前記端末ＩＤと、前記ライセンス認証コードとを対応付けて管理テーブルに記憶し、または前記管理テーブルへの記憶を拒否する登録制御部と、
前記管理テーブルに記憶されたライセンス認証コードに基づいて、前記電話端末に対し該当する機能または該当するハードウェア回路を使用可／不可とするサービス制御部とを具備するサーバ装置。
【請求項７】
前記送信制御部は、前記チェック情報として登録時刻情報を前記ライセンス認証コードに付加して前記電話端末に送信し、
前記登録制御部は、前記電話端末から登録要求が送られた時に、前記電話端末から送られた前記ライセンス認証コードに付随する登録時刻情報が所定期間以内である場合に、前記端末ＩＤと、前記ライセンス認証コードとを対応付けて管理テーブルに記憶し、前記登録時刻情報が所定期間を超える場合に、前記管理テーブルへの記憶を拒否する請求項６記載のサーバ装置。
【請求項８】
前記送信制御部は、前記チェック情報として登録時刻情報及び前記ライセンス認証コードの有効期限情報を前記ライセンス認証コードに付加して前記電話端末に送信し、
前記登録制御部は、前記電話端末から登録要求が送られた時に、前記電話端末から送られた前記ライセンス認証コードに付随する登録時刻情報が有効期限内である場合に、前記端末ＩＤと、前記ライセンス認証コードとを対応付けて管理テーブルに記憶し、前記登録時刻情報が前記有効期限を超える場合に、前記管理テーブルへの記憶を拒否する請求項６記載のサーバ装置。
【請求項９】
前記送信制御部は、前記チェック情報として前記ライセンス認証コードの有効期限情報を前記ライセンス認証コードに付加して前記電話端末に送信し、
前記登録制御部は、前記電話端末から登録要求が送られた時に、現在時刻が前記電話端末から送られた前記ライセンス認証コードに付随する有効期限内である場合に、前記端末ＩＤと、前記ライセンス認証コードとを対応付けて管理テーブルに記憶し、前記現在時刻が前記有効期限を超える場合に、前記管理テーブルへの記憶を拒否する請求項６記載のサーバ装置。
【請求項１０】
前記登録制御部により前記管理テーブルへの記憶を拒否された電話端末に対し、予め指定された機能または予め指定されたハードウェア回路を使用した通信サービスを許可するサービス割り当て部をさらに備える請求項６記載のサーバ装置。
【請求項１１】
複数の電話端末と、
これら複数の電話端末を登録し、電話端末間の交換処理に係わる複数の機能または複数のハードウェア回路のうち少なくとも１つの機能またはハードウェア回路の使用を許可するため、あるいは容量を拡張するためのライセンス認証コードを前記電話端末を特定する端末ＩＤに対応付けてライセンス記憶部に記憶し、当該ライセンス記憶部に記憶されたライセンス認証コードに基づいて、前記電話端末に対し該当する機能または該当するハードウェア回路を使用可／不可とする第１のサーバ装置と、
この第１のサーバ装置に対する待機系とする第２のサーバ装置とを備える電話システムで使用される制御方法において、
前記第１のサーバ装置において、前記複数の電話端末のいずれかから登録要求が送信された時、登録要求に含まれる端末ＩＤと、前記ライセンス記憶部に記憶される端末ＩＤとを比較してライセンス認証を行い、
端末ＩＤが一致した電話端末に対し、前記ライセンス記憶部から対応するライセンス認証コードを読み出し、当該コードが正当であることをチェックするためのチェック情報を付加したライセンス認証コードを前記電話端末に送信し、
前記電話端末において、前記第１のサーバ装置から送られたチェック情報及びライセンス認証コードを認証コード記憶部に記憶し、
登録している第１のサーバ装置に異常が発生したときに、前記第２のサーバ装置に対して登録要求及び前記認証コード記憶部に記憶されているライセンス認証コード及びチェック情報を送信し、
前記第２のサーバ装置において、前記電話端末から登録要求が送られた時に、前記電話端末から送られた前記ライセンス認証コードに付随するチェック情報に基づいて、前記端末ＩＤと、前記ライセンス認証コードとを対応付けて管理テーブルに記憶し、または前記管理テーブルへの記憶を拒否し、
前記管理テーブルに記憶されたライセンス認証コードに基づいて、前記電話端末に対し該当する機能または該当するハードウェア回路を使用可／不可とする制御方法。
【請求項１２】
前記第１のサーバ装置において送信することは、前記チェック情報として登録時刻情報を前記ライセンス認証コードに付加して前記電話端末に送信し、
前記第２のサーバ装置において登録することは、前記電話端末から登録要求が送られた時に、前記電話端末から送られた前記ライセンス認証コードに付随する登録時刻情報が所定期間以内である場合に、前記端末ＩＤと、前記ライセンス認証コードとを対応付けて管理テーブルに記憶し、前記登録時刻情報が所定期間を超える場合に、前記管理テーブルへの記憶を拒否する請求項１１記載の制御方法。
【請求項１３】
前記第１のサーバ装置において送信することは、前記チェック情報として登録時刻情報及び前記ライセンス認証コードの有効期限情報を前記ライセンス認証コードに付加して前記電話端末に送信し、
前記第２のサーバ装置において登録することは、前記電話端末から登録要求が送られた時に、前記電話端末から送られた前記ライセンス認証コードに付随する登録時刻情報が有効期限内である場合に、前記端末ＩＤと、前記ライセンス認証コードとを対応付けて管理テーブルに記憶し、前記登録時刻情報が前記有効期限を超える場合に、前記管理テーブルへの記憶を拒否する請求項１１記載の制御方法。
【請求項１４】
前記第１のサーバ装置において送信することは、前記チェック情報として前記ライセンス認証コードの有効期限情報を前記ライセンス認証コードに付加して前記電話端末に送信し、
前記第２のサーバ装置の登録することは、前記電話端末から登録要求が送られた時に、現在時刻が前記電話端末から送られた前記ライセンス認証コードに付随する有効期限内である場合に、前記端末ＩＤと、前記ライセンス認証コードとを対応付けて管理テーブルに記憶し、前記現在時刻が前記有効期限を超える場合に、前記管理テーブルへの記憶を拒否する請求項１１記載の制御方法。
【請求項１５】
前記第２のサーバ装置は、前記登録制御部により前記管理テーブルへの記憶を拒否された電話端末に対し、予め指定された機能または予め指定されたハードウェア回路を使用した通信サービスを許可する請求項１１記載の制御方法。
【発明の詳細な説明】
【技術分野】
【０００１】
本発明の実施形態は、ライセンス認証コードにより機能またはハードウェア回路を使用可／不可を変更する電話システム、サーバ装置及び電話システムで使用される制御方法に関する。
【背景技術】
【０００２】
近年、ＩＰ網を介して、双方向に画像や音声をパケットデータとして、リアルタイムに送受信するＩＰ電話システムが普及している。このＩＰ電話システムでは、ＩＰ網に接続される各サーバ装置ごとに内線間通信や外線発着信を行えることは勿論のこと、ＩＰ網を経由したサーバ装置間での内線通信や外線発着信を行うことができる。
【０００３】
ところで、上記ＩＰ電話システムでは、サーバ装置を設置している部署において、人員の増加や業務内容の変化等に応じてＩＰ電話端末の機能を追加する必要が生じたり、また不要な機能を削除する必要が生じることがある。このような場合、従来のシステムでは、機能をあらかじめ作りこんでおき、ライセンス認証コードを入力することで機能の一部あるいは全部を利用可能とするような機能提供方法が一般的に行われている。または、機能を利用可能な端末の数や、機能を使う上で利用可能なメモリ容量など、容量に関する利用制限とその解除もライセンス認証コードにより行われることも一般的である。
【０００４】
また、上記ＩＰ電話システムでは、ＩＰ電話端末をＩＰ網上の各サーバ装置に予め登録しておき、ＩＰ電話端末にてＩＰ網を使用して通話を行う際に、上記サーバ装置がＩＰ電話端末のライセンス認証を行うようにしている。
【先行技術文献】
【特許文献】
【０００５】
【特許文献１】特開２００２−２９７２５４号公報
【特許文献２】特開２００４−２９５８４６号公報
【特許文献３】特表２００６−５２１７１３号公報
【特許文献４】特許登録４３３２３４４号
【発明の概要】
【発明が解決しようとする課題】
【０００６】
ところで、上記ＩＰ電話システムでは、ＩＰ電話端末を利用するためには、サーバ装置にライセンスを登録しなければならない。よってサーバ装置の冗長構成を行っているＩＰ電話システムにおいて、稼動系のサーバ装置と待機系のサーバ装置に別々にライセンスを登録しておかなければならない。または稼動系、待機系の運転状況に影響されずにライセンス認証をおこなうために第３のサーバ装置を用意する必要がある。また、待機系においては登録してきたＩＰ電話端末を無条件に許可する必要がある。
【０００７】
本発明の目的は、１台のサーバ装置にのみライセンスを登録するのみで、他のサーバ装置に対しライセンスを登録することなく、ＩＰ電話端末にて任意の機能やハードウェア回路を利用でき、これによりユーザの費用負担の軽減及び機能またはハードウェア回路の不正使用を防止し得る電話システム、サーバ装置及び電話システムで使用される制御方法を提供することにある。
【課題を解決するための手段】
【０００８】
実施形態によれば、電話システムは、複数の電話端末と、第１のサーバ装置と、第２のサーバ装置とを備える。第１のサーバ装置は、これら複数の電話端末を登録し、電話端末間の交換処理に係わる複数の機能または複数のハードウェア回路のうち少なくとも１つの機能またはハードウェア回路の使用を許可するため、あるいは容量を拡張するためのライセンス認証コードを前記電話端末を特定する端末ＩＤに対応付けてライセンス記憶部に記憶し、当該ライセンス記憶部に記憶されたライセンス認証コードに基づいて、前記電話端末に対し該当する機能または該当するハードウェア回路を使用可／不可とする。また、第１のサーバ装置は、ライセンス認証部と、送信制御部とを備える。ライセンス認証部は、複数の電話端末のいずれかから登録要求が送信された時、登録要求に含まれる端末ＩＤと、前記ライセンス記憶部に記憶される端末ＩＤとを比較してライセンス認証を行う。送信制御部は、このライセンス認証部により端末ＩＤが一致した電話端末に対し、ライセンス記憶部から対応するライセンス認証コードを読み出し、当該コードが正当であることをチェックするためのチェック情報を付加したライセンス認証コードを電話端末に送信する。また、電話端末は、認証コード記憶部と、サーバ切替制御部とを備える。認証コード記憶部は、第１のサーバ装置から送られたチェック情報及びライセンス認証コードを記憶する。サーバ切替制御部は、登録している第１のサーバ装置に異常が発生したときに、第２のサーバ装置に対して登録要求及び認証コード記憶部に記憶されているライセンス認証コード及びチェック情報を送信する。第２のサーバ装置は、登録制御部と、サービス制御部とを備える。登録制御部は、電話端末から登録要求が送られた時に、電話端末から送られた前記ライセンス認証コードに付随するチェック情報に基づいて、端末ＩＤと、ライセンス認証コードとを対応付けて管理テーブルに記憶し、または管理テーブルへの記憶を拒否する。サービス制御部は、管理テーブルに記憶されたライセンス認証コードに基づいて、電話端末に対し該当する機能または該当するハードウェア回路を使用可／不可とする。
【図面の簡単な説明】
【０００９】
【図１】第１の実施形態に係るＩＰ電話システムの概略構成図。
【図２】図１に示した稼働系サーバの構成を示すブロック図。
【図３】図２に示したライセンス情報テーブルの記憶内容の一例を示す図。
【図４】図２に示したサービス実行テーブルの記憶内容の一例を示す図。
【図５】図１に示したＩＰ電話端末の機能構成を示すブロック図。
【図６】図１に示した待機系サーバの構成を示すブロック図。
【図７】第１の実施形態において、端末登録を行う際の稼働系サーバと、待機系サーバと、ＩＰ電話端末との間の情報の送受信動作を示すシーケンス。
【図８】ライセンス認証コードに発行時刻情報を付加した送信フォーマットの一例を示す図。
【図９】ライセンス認証コードに発行時刻情報及びライセンス有効期間情報を付加した送信フォーマットの一例を示す図。
【図１０】ライセンス認証コードにライセンス有効期間情報を付加した送信フォーマットの一例を示す図。
【図１１】第２の実施形態に係る待機系サーバの構成を示すブロック図。
【図１２】第２の実施形態において、端末登録を行う際の稼働系サーバと、待機系サーバと、ＩＰ電話端末との間の情報の送受信動作を示すシーケンス。
【発明を実施するための形態】
【００１０】
以下、実施の形態について、図面を参照して説明する。
【００１１】
（第１の実施形態）  
第１の実施形態は、稼働系サーバでＩＰ電話端末に対しライセンス認証コードを発行する際に、コードが正当であることをチェックするためのチェック情報をライセンス認証コードに付加し、待機系サーバで登録要求元のＩＰ電話端末から送られたライセンス認証コードについてチェック情報に基づいてチェックし、正当な端末であれば登録し、不正な端末であれば登録拒否を行うようにしたものである。
【００１２】
図１は、第１の実施形態に係るＩＰ電話システムの概略構成図である。
【００１３】
このＩＰ電話システムは、ＩＰネットワーク１を有する。ＩＰネットワーク１には、稼働系サーバＳＶ１と、待機系サーバＳＶ２が接続されている。また、稼働系サーバＳＶ１には、複数のＩＰ電話端末Ｔ１１〜Ｔ１ｎ（ｎは自然数）がＩＰネットワーク１を介して登録される。なお、ＩＰ電話端末Ｔ１１〜Ｔ１ｎは、通話処理機能と映像等のメディア情報処理機能とを備えている。
【００１４】
稼働系サーバＳＶ１は、複数のＩＰ電話端末Ｔ１１〜Ｔ１ｎ間またはＩＰ電話端末Ｔ１１〜Ｔ１ｎと公衆網（図示せず）との間で、例えばＳＩＰに従ってセッションを確立する交換制御機能を備える。そして、セッション確立後は、発信側と着信側のＩＰ電話端末間でピアツーピア接続でＩＰパケットを送受信することで、音声通信を行なう。
【００１５】
また、稼働系サーバＳＶ１は、発着信に応じてＩＰ電話端末Ｔ１１〜Ｔ１ｎ相互間及びこれらＩＰ電話端末Ｔ１１〜Ｔ１ｎと公衆網の加入者線との間を交換接続する機能を基本サービス機能とし、その他にこの交換接続処理に関係する複数のオプションサービス機能を有する。これら複数のオプションサービス機能としては、例えばコールピックアップ機能やコールフォワード機能、マルチアピアランス機能等がある。
【００１６】
さらに、稼働系サーバＳＶ１は、ＩＰ電話端末Ｔ１１〜Ｔ１ｎに対し、ライセンス認証コードを送って機能またはハードウェア回路の追加設定または制限を行う機能を有する。このライセンス認証コードには、機能またはハードウェア回路をアクティブにするための指示コードまたはメモリ容量を拡張するための指示コードと、システムＩＤとが挿入される。
【００１７】
図２は、上記稼働系サーバＳＶ１の構成を示すブロック図である。
【００１８】
稼働系サーバＳＶ１は、制御部２１、ノースブリッジ２２、主メモリ２３、ビデオコントローラ２４、表示部２５、サウスブリッジ２６、ＨＤＤ（Hard Disk Drive）２７、マルチドライブ２８、ＬＡＮコントローラ２９、インタフェース部３０、ＰＣカードコントローラ３１、ＢＩＯＳ−ＲＯＭ（Basic Input/Output System ROM）３３、ＥＣ／ＫＢＣ（Embedded Controller/Keyboard Controller）３４、電源コントローラ（ＰＳＣ）３５、電源部３６、キーボード（ＫＢ）３７、マウス用インタフェース（Ｉ／Ｆ）３８、マウス３９、Ｉ／Ｏコントローラ４０などを備える。
【００１９】
制御部２１は、（ＣＰＵ：Central Processing Unit）を主体として交換機サーバＳＶ全体の制御を司るものであり、主メモリ２３をワークエリアとして使用し、ＨＤＤ２７から主メモリ２３にロードされる、オペレーティングシステム（ＯＳ）２３ａ、ドライバ２３ｂ、交換プログラム２３ｃなどを実行する。  
ノースブリッジ２２は、制御部２１とサウスブリッジ２６との間のブリッジ処理、主メモリ２３の制御、ビデオコントローラ２４の制御などを行う各種コントローラを備えている。  
ビデオコントローラ２４は、ＡＧＰ（Accelerated Graphics Port）を介してノースブリッジ２２に接続されており、表示部２５に表示すべきデータの制御を行う。表示部２５は、ビデオコントローラ２４から送られてくるデータを画面上に表示するものであり、ＬＣＤ(Liquid Crystal Display)を備えている。
【００２０】
サウスブリッジ２６は、ハブリンクを介してノースブリッジ２２に接続されており、ＬＰＣ（Low Pin Count）バス上の各種デバイス（ＥＣ／ＫＢＣ３４、Ｉ／Ｏコントローラなど）や、ＰＣＩ（Peripheral Component Interconnect）バス上の各種ＰＣＩデバイス（ＬＡＮコントローラ２９、インタフェース部３０、ＰＣカードコントローラ３１など）や、ＩＤＥ（Integrated Drive Electronics）対応のディスクドライブや、ＵＳＢデバイスなどの制御を行う各種コントローラを備える。
【００２１】
ＨＤＤ２７は、プライマリＩＤＥに対応するデバイスとしてサウスブリッジ２６に接続されており、ＯＳや交換プログラム等の各種プログラム、各種データ２３ｄなどを記憶する内蔵のハードディスクである。マルチドライブ２８は、セカンダリＩＤＥに対応するデバイスとしてサウスブリッジ２６に接続されており、リムーバブルな記録媒体であるＣＤ−ＲＯＭ、ＤＶＤ−ＲＯＭ、ＣＤ−Ｒ／ＲＷを駆動する。
【００２２】
ＬＡＮコントローラ２９は、ＰＣＩデバイスとしてサウスブリッジ２６に接続されており、有線ＬＡＮの仕様に準拠する通信機能を備え、同じ通信機能を備えた通信装置との間で通信を行うものである。  
インタフェース部３０は、ＰＣＩデバイスとしてサウスブリッジ２６に接続されており、ＩＰネットワーク１の仕様に準拠する通信機能を備え、ＩＰパケットの授受に係わる処理を行う。  
ＰＣカードコントローラ３１は、ＰＣＩデバイスとしてサウスブリッジ２６に接続されており、ＰＣＭＣＩＡ(Personal Computer Memory Card International Association)の仕様に準拠し、各種のＰＣカードを制御するものである。ＢＩＯＳ−ＲＯＭ３３は、ＬＰＣバスに接続されており、電源が投入された際に主に交換機サーバＳＶ内のハードウェアに対する設定処理などを行うＢＩＯＳ（Basic Input/Output System）を格納している。ＥＣ／ＫＢＣ３４は、ＬＰＣバスに接続されており、電源コントローラ３５やキーボード３７等の入力装置の制御などを行う。このＥＣ／ＫＢＣ３４は、組み込みコントローラであるＥＣ（Embedded Controller）とキーボードコントローラとを一体化したものである。
【００２３】
電源コントローラ３５は、Ｉ2Ｃバスを介してＥＣ／ＫＢＣ３４に接続されており、交換機サーバＳＶ内の各部に供給する電圧を制御する。電源部３６は駆動電力を生成し、交換機サーバＳＶ内の各部に供給する。キーボード３７は、ＥＣ／ＫＢＣ３４に接続されており、各種キーの押下に対応した入力信号をＫＢＣに通知するものである。マウス用インタフェース３８は、マウス３９とＥＣ／ＫＢＣ３４との間の信号のインタフェースを行うものである。マウス３９は、マウス用インタフェース３８に接続されており、クリック操作などにより入力を行うものである。Ｉ／Ｏコントローラ４０は、ＬＰＣバスに接続されており、外部とシリアル信号やパラレル信号の入出力制御を行うと共に、マウス３９との入出力制御をも行う。
【００２４】
この稼働系サーバＳＶ１においては、制御部２１の制御のもとで、主メモリ２３上に展開した交換プログラム２３ｃがＬＡＮコントローラ２９などと協働して所定の交換処理機能を実現する。稼働系サーバＳＶ１は汎用のコンピュータサーバに交換プログラム２３ｃをロードし、このプログラムを実行させることで電話端末間の交換機能を実現する。稼働系サーバＳＶ１は、汎用コンピュータと同様に、データが記憶された領域が物理的には不連続なメモリ領域であっても、ソフトウェア（プロセスなど）から見て連続になるように見せかける仮想記憶システムを採用する。
【００２５】
ところで、制御部２１は、ライセンス実行部２１ａと、ライセンス認証部２１ｂと、ライセンス認証コード生成部２１ｃと、ライセンス認証コード送信部２１ｄと、端末登録制御部２１ｅと、サービス制御部２１ｆとを備えている。
【００２６】
ライセンス実行部２１ａは、初期の端末登録時に、ＩＰ電話端末Ｔ１１〜Ｔ１ｎを特定する端末識別子と、ライセンス認証コード中のシステムＩＤとを対応付けてＨＤＤ２７のライセンス情報テーブル２７１に記憶する。ライセンス情報テーブル２７１は、図３に示すように、ＩＰ電話端末Ｔ１１〜Ｔ１ｎの電話番号となる端末識別子と、ライセンス情報の「あり／なし」を示す情報及びシステムＩＤとを対応付けたテーブルとなる。
【００２７】
そして、ライセンス実行部２１ａは、例えば登録中のＩＰ電話端末Ｔ１１から「ボイスメール装置」の使用要求が到来した場合に、ＩＰ電話端末Ｔ１１の端末識別子「２０００」をキーとして、ライセンス情報テーブル２７１を参照して端末識別子「２０００」に対応するシステムＩＤ「１２３４５」を検索し、このシステムＩＤ「１２３４５」をキーとしてサービス実行テーブル２７２を参照して「ボイスメール装置」が「使用可」に設定されているか否かを判定する。そして、「使用可」であるならば、「ボイスメール装置」の使用を許可する。
【００２８】
サービス実行テーブル２７２は、図４に示すように、システムＩＤ毎に、オプションサービス機能の設定状態を管理するためのテーブルであり、各オプションサービス機能に対応付けて使用の可否を表すフラグが記憶されている。この使用可不可フラグが「使用可」に設定されている場合にはその機能は実行可能で、一方「使用不可」に設定されている場合にはその機能は実行不可能となる。また、メモリ容量については、５０％まで拡張することもできる。
【００２９】
ライセンス認証部２１ｂは、ＩＰ電話端末Ｔ１１〜Ｔ１ｎのいずれかから登録要求が送信された時、登録要求に含まれる端末識別子と、ライセンス情報テーブル２７１に記憶される端末識別子とを比較してライセンス認証を行う。
【００３０】
ライセンス認証コード生成部２１ｃは、上記ライセンス認証部２１ｂにより端末識別子が一致した例えばＩＰ電話端末Ｔ１１に対し、サービス実行テーブル２７２から対応するライセンス認証コードを生成し、当該コードが正当であることをチェックするための発行時刻情報、有効期限情報といったチェック情報をライセンス認証コードに付加する。
【００３１】
ライセンス認証コード送信部２１ｄは、チェック情報を付加したライセンス認証コードを登録要求元のＩＰ電話端末Ｔ１１へ送信する。
【００３２】
端末登録制御部２１ｅは、上記ライセンス認証部２１ｂにより端末識別子が一致しない例えばＩＰ電話端末Ｔ１４に対し、ライセンス認証コード要求を送信し、この要求に対しライセンス認証コードが送られ、当該コードが正当なものであることが判定された場合に、ＩＰ電話端末Ｔ１４の端末識別子と、ライセンス認証コードに含まれるシステムＩＤとを対応付けて端末登録テーブル２７３に記憶する。また、上記要求に対しライセンス認証コードが所定時間経過しても送られない場合や、送られたライセンス認証コードがＮＧである場合には、ＩＰ電話端末Ｔ１４に対し登録を受け付けられない旨のメッセージを送信する。
【００３３】
サービス制御部２１ｆは、ライセンス情報テーブル２７１に登録されていないＩＰ電話端末Ｔ１４から「テレビ会議」の使用要求が到来した場合に、端末登録テーブル２７３中のＩＰ電話端末Ｔ１４の端末識別子に対応するシステムＩＤを参照し、このシステムＩＤをキーとしてサービス実行テーブル２７２を参照して「テレビ会議」が「使用可」に設定されているか否かを判定する。そして、「使用可」であるならば、「テレビ会議」の使用を許可する。
【００３４】
一方、図５は、ＩＰ電話端末Ｔ１１〜Ｔ１ｎの機能構成を示すブロック図である。ここでは、ＩＰ電話端末Ｔ１１を代表して説明する。
【００３５】
図５において、ＩＰ電話端末Ｔ１１は、伝送部５１、通話処理部５２、主制御部５３、操作パネル部５４、ハンドセット５５を有している。
【００３６】
伝送部５１は、外部の機器との間で伝送により種々のデータの授受を行なう。また、伝送部５１は、外部の機器から送られてきたＩＰパケットから通話信号や制御信号を抽出し、通話信号を通話処理部５２へ、制御信号を主制御部５３へとそれぞれ与える。さらに伝送部５１は、通話処理部５２や制御部５３から与えられるシリアルデータ信号を時分割多重してＩＰパケットを生成し、ＩＰネットワーク１へ送信する。
【００３７】
通話処理部５２は、伝送部５１から与えられる通話信号に含まれる通話データを取り出して、この通話データからアナログの受話音声信号を再生する。そして、通話処理部５２は、この再生した受話音声信号によりハンドセット５５の受話器を駆動し、受話音声の出力を行なわせる。また、通話処理部５２には、ハンドセット５５の送話器で生成されたアナログの送話音声信号が入力される。通話処理部５２は、この送話音声信号を所定形態の通話信号に変換して、伝送部５１へと与える。
【００３８】
主制御部５３は、ＣＰＵ、ＲＯＭ、ＲＡＭなどを有して構成され、ソフトウェア処理によりＩＰ電話端末Ｔ１１の各部の制御を行なう。  
操作パネル部５４は、ＬＣＤ（Liquid Crystal Display）等の表示部５４１と、キー入力部５４２とを備えている。表示部５４１には、主制御部５３から出力された自装置の動作状態を表す種々情報、電話帳なども表示される。
【００３９】
ところで、主制御部５３は、ライセンス認証コード保存部５３１と、サーバ切替制御部５３２とを備えている。ライセンス認証コード保存部５３１は、稼働系サーバＳＶ１から送られたライセンス認証コード及びチェック情報を記憶する。
【００４０】
サーバ切替制御部５３２は、登録している稼働系サーバＳＶ１に異常が発生したときに、待機系サーバＳＶ２に対して登録要求及びライセンス認証コード保存部５３１に記憶されているライセンス認証コード及びチェック情報を送信する。
【００４１】
一方、図６は、上記待機系サーバＳＶ２の構成を示すブロック図である。なお、図６において、上記図２と同一部分には同一符号を付して詳細な説明を省略する。  
待機系サーバＳＶ２の制御部６１には、端末登録制御部６１ａと、ライセンス実行制御部６１ｂとが備えられる。
【００４２】
端末登録制御部６１ａは、例えばＩＰ電話端末Ｔ１１から登録要求が送られた時に、登録要求に含まれる端末識別子と、ライセンス情報テーブル２７１に記憶される端末識別子とを比較してライセンス認証を行う。ここでは、ＩＰ電話端末Ｔ１１の端末識別子「２０００」は、ライセンス情報テーブル２７１に登録されていないので、ライセンス認証コード要求を送信し、この要求に対しライセンス認証コードが送られ、当該コードが正当なものであることが判定された場合に、ＩＰ電話端末Ｔ１１の端末識別子と、ライセンス認証コードに含まれるシステムＩＤとを対応付けて端末登録テーブル２７３に記憶する。また、上記要求に対しライセンス認証コードが所定時間経過しても送られない場合や、送られたライセンス認証コードがＮＧである場合には、ＩＰ電話端末Ｔ１１に対し登録を受け付けられない旨のメッセージを送信する。
【００４３】
ライセンス実行制御部６１ｂは、ＩＰ電話端末Ｔ１１から例えば「ボイスメール装置」の使用要求が到来した時に、端末登録テーブル２７３に記憶されたＩＰ電話端末Ｔ１１の端末識別子「２０００」に対応するシステムＩＤ「１２３４５」を参照し、このシステムＩＤをキーとしてサービス実行テーブル２７２を参照して「ボイスメール装置」が「使用可」に設定されているか否かを判定する。そして、「使用可」であるならば、「ボイスメール装置」の使用を許可する。
【００４４】
次に、上記構成における動作について説明する。  
図７は、端末登録を行う際の稼働系サーバＳＶ１と、待機系サーバＳＶ２と、ＩＰ電話端末Ｔ１１との間の情報の送受信動作を示すシーケンスである。
【００４５】
ここで、ＩＰ電話端末Ｔ１１と稼働系サーバＳＶ１との間で初期の登録処理を行う際に、予めライセンスを購入し、ライセンス情報を稼働系サーバＳＶ１のサービス実行テーブル２７２中にシステムＩＤに対応付けて登録しておく必要がある。このとき、ＩＰ電話端末Ｔ１１の端末識別子とライセンス情報のシステムＩＤとを対応づけてサービス情報テーブル２７１に登録されることになる。
【００４６】
ここで、ＳＩＰの場合、起動時にＩＰ電話端末Ｔ１１から稼働系サーバＳＶ１に対し一定周期でＲＥＧＩＳＴＥＲメッセージ、つまり「端末登録要求」信号が送信され（図７（１））、ＲＥＧＩＳＴＥＲメッセージを受信した稼働系サーバＳＶ１は、ＲＥＧＩＳＴＥＲメッセージに含まれる端末識別子をＨＤＤ２７のライセンス情報テーブル２７１に登録する。なお、例えばＩＰ電話端末Ｔ１４が一定周期でＲＥＧＩＳＴＥＲメッセージを送信しない場合には、稼働系サーバＳＶ１はＩＰ電話端末Ｔ１４が存在しないものと認識し、これによりＩＰ電話端末Ｔ１４は通信できないものとなる。
【００４７】
稼働系サーバＳＶ１は、ＩＰ電話端末Ｔ１１からＲＥＧＩＳＴＥＲメッセージを受信すると、ＲＥＧＩＳＴＥＲメッセージに含まれる端末識別子がライセンス情報テーブル２７１中の端末識別子に一致するか否かの判断を行う（ステップＳＴ７１ａ）。そして、一致した場合（Ｙｅｓ）、稼働系サーバＳＶ１はＩＰ電話端末Ｔ１１にＡＣＫ、つまり「端末登録応答」信号を返送する（図７（２））。
【００４８】
さらに、稼働系サーバＳＶ１は、図８に示すように、サービス実行テーブル２７２中のシステムＩＤ「１２３４５」に対応する機能またはハードウェア回路をアクティブにするための指示コードと、当該システムＩＤとを組み合わせてライセンス認証コードを生成すると共に、ＩＰ電話端末Ｔ１１の登録時刻に対応する発行時刻情報をライセンス認証コードに付加する（ステップＳＴ７１ｂ）。そして、稼働系サーバＳＶ１は、発行時刻情報を付加したライセンス認証コードをＩＰ電話端末Ｔ１１に送信する（図７（３））。
【００４９】
ＩＰ電話端末Ｔ１１は、稼働系サーバＳＶ１から送られたライセンス認証コード及び発行時刻情報をライセンス認証コード保存部５３１に保存し、稼働系サーバＳＶ１に対しライセンス認証コード受信完了の旨を通知する（図７（４））。ここでＩＰ電話端末Ｔ１１が稼動系サーバＳＶ１に対して登録が完了となる。
【００５０】
一方、上記ステップＳＴ７１ａにおいて、ＲＥＧＩＳＴＥＲメッセージに含まれる端末識別子がライセンス情報テーブル２７１中の端末識別子に一致しない場合（Ｎｏ）、稼動系サーバＳＶ１は登録要求元のＩＰ電話端末Ｔ１１に対しライセンス認証コード要求を送信する（図７（５））。この要求に対し、ＩＰ電話端末Ｔ１１から発行時刻情報を付加したライセンス認証コードが送られた場合に（図７（６））、稼動系サーバＳＶ１は発行時刻が予め決められた時間を超過していないか否かをチェックし（ステップＳＴ７１ｃ）、超過していない場合（Ｙｅｓ）、ＩＰ電話端末Ｔ１１の端末識別子とライセンス認証コードに含まれるシステムＩＤとを対応付けて端末登録テーブル２７３に登録し、ＩＰ電話端末Ｔ１１にＡＣＫ、つまり「端末登録応答」信号を返送する（図７（７））。
【００５１】
一方、上記ステップＳＴ７１ｃにおいて、要求に対しライセンス認証コードが予め決められた時間経過しても送られない場合や、送られたライセンス認証コードの発行時刻が予め決められた期間を超えていた場合には、ＩＰ電話端末Ｔ１１に対し登録を受け付けられない旨のメッセージ、つまり「端末削除」メッセージを送信する（図７（８））。
【００５２】
なお、ライセンス認証コードは有効期限が決まっており、有効期限が失効する前にライセンス認証コードが稼動系サーバＳＶ１で更新され、ＩＰ電話端末Ｔ１１に対して送信される（図７（９））。このライセンス認証コードの更新に関しては、稼動系サーバＳＶ１から送信されてきてもよいし、ＩＰ電話端末Ｔ１１から更新の要求信号を送出し、稼動系サーバＳＶ１が要求信号を受信してから更新したライセンス認証コードをＩＰ電話端末Ｔ１１に対して送信してもよい。
【００５３】
ＩＰ電話端末Ｔ１１は、稼働系サーバＳＶ１から送られたライセンス認証コード及び発行時刻情報をライセンス認証コード保存部５３１に上書き保存し、稼働系サーバＳＶ１に対しライセンス認証コード受信完了の旨を通知する（図７（１０））。
【００５４】
その後、何らかの理由で稼動系サーバＳＶ１に異常が発生した際に、ＩＰ電話端末Ｔ１１がその異常を検知し、待機系サーバＳＶ２に対してＲＥＧＩＳＴＥＲメッセージつまり「端末登録要求」を送信する（図７（１１））。
【００５５】
待機系サーバＳＶ２は、ＩＰ電話端末Ｔ１１から送られたＲＥＧＩＳＴＥＲメッセージに含まれる端末識別子と、ライセンス情報テーブル２７１に記憶される端末識別子とを比較してライセンス認証を行う（ステップＳＴ７２ａ）。ここでは、ＩＰ電話端末Ｔ１１の端末識別子「２０００」は、ライセンス情報テーブル２７１に登録されていないので（Ｎｏ）、ＩＰ電話端末Ｔ１１にライセンス認証コード要求を送信する（図７（１２））。
【００５６】
そして、ＩＰ電話端末Ｔ１１は、上記要求に対しライセンス認証コード保存部５３１に記憶されているライセンス認証コード及び発行時刻情報を読み出して、待機系サーバＳＶ２へ送信する（図７（１３））。
【００５７】
待機系サーバＳＶ２は、ＩＰ電話端末Ｔ１１からライセンス認証コード及び発行時刻情報を受信すると、発行時刻が予め決められた時間を超過していないか否かをチェックし（ステップＳＴ７２ｂ）、超過していない場合（Ｙｅｓ）、ＩＰ電話端末Ｔ１１の端末識別子とライセンス認証コードに含まれるシステムＩＤとを対応付けて端末登録テーブル２７３に登録し、ＩＰ電話端末Ｔ１１にＡＣＫ、つまり「端末登録応答」信号を返送する（図７（１４））。
【００５８】
一方、上記ステップＳＴ７２ｂにおいて、要求に対しライセンス認証コードが予め決められた時間経過しても送られない場合や、送られたライセンス認証コードの発行時刻が予め決められた期間を超えていた場合には、ＩＰ電話端末Ｔ１１に対し登録を受け付けられない旨のメッセージ、つまり「端末削除」メッセージを送信する（図７（１５））。これに対し、ＩＰ電話端末Ｔ１１は、「端末削除」メッセージを受信した旨の応答メッセージを待機系サーバＳＶ２に返送する（図７（１６））。
【００５９】
ここで、ＩＰ電話端末Ｔ１１から例えば「ボイスメール装置」の使用要求が到来した時に、待機系サーバＳＶ２は端末登録テーブル２７３に記憶されたＩＰ電話端末Ｔ１１の端末識別子「２０００」に対応するシステムＩＤ「１２３４５」を参照し、このシステムＩＤをキーとしてサービス実行テーブル２７２を参照して「ボイスメール装置」が「使用可」に設定されているか否かを判定する。そして、「使用可」であるならば、「ボイスメール装置」の使用を許可する。
【００６０】
このような手段を用いることによって、待機系サーバＳＶ２にライセンス情報を入力していなくても、待機系サーバＳＶ２に接続して、ＩＰ電話端末Ｔ１１を利用することが可能となる。
【００６１】
さらに待機系サーバは、ＩＰ電話端末Ｔ１１を登録した後、ライセンス認証コードの有効期間を定期的に確認し、ライセンス認証コードの有効期間が経過したと判断されると、待機系サーバＳＶ２から「端末削除通知」がＩＰ電話端末Ｔ１１に対して送信され、ＩＰ電話端末Ｔ１１の登録が待機系サーバＳＶ２から削除され、ＩＰ電話端末が通信することが出来なくなる。よって、ライセンス認証コードを利用して不正に端末を利用しようとした場合にも、それらを防止することが可能である。
【００６２】
（認証コードに発行時刻と有効期間が含まれている場合）  
起動時にＩＰ電話端末Ｔ１１から稼働系サーバＳＶ１に対し一定周期でＲＥＧＩＳＴＥＲメッセージが送信され、ＲＥＧＩＳＴＥＲメッセージを受信した稼働系サーバＳＶ１は、ＲＥＧＩＳＴＥＲメッセージに含まれる端末識別子をＨＤＤ２７のライセンス情報テーブル２７１に登録する。
【００６３】
稼働系サーバＳＶ１は、ＩＰ電話端末Ｔ１１からＲＥＧＩＳＴＥＲメッセージを受信すると、ＲＥＧＩＳＴＥＲメッセージに含まれる端末識別子がライセンス情報テーブル２７１中の端末識別子に一致するか否かの判断を行う。そして、一致した場合、稼働系サーバＳＶ１はＩＰ電話端末Ｔ１１にＡＣＫ、つまり「端末登録応答」信号を返送するとともに、図９に示すように、サービス実行テーブル２７２中のシステムＩＤ「１２３４５」に対応する機能またはハードウェア回路をアクティブにするための指示コードと、当該システムＩＤとを組み合わせてライセンス認証コード（ライセンス認証基本情報）を生成すると共に、ＩＰ電話端末Ｔ１１の登録時刻に対応する発行時刻情報と、ライセンスの有効期間を示すライセンス有効期間情報をライセンス認証コードに付加する。そして、稼働系サーバＳＶ１は、発行時刻情報及びライセンス有効期間情報を付加したライセンス認証コードをＩＰ電話端末Ｔ１１に送信する。
【００６４】
ＩＰ電話端末Ｔ１１は、稼働系サーバＳＶ１から送られたライセンス認証コード及び発行時刻情報及びライセンス有効期間情報をライセンス認証コード保存部５３１に保存し、稼働系サーバＳＶ１に対しライセンス認証コード受信完了の旨を通知する。ここでＩＰ電話端末Ｔ１１が稼動系サーバＳＶ１に対して登録が完了となる。
【００６５】
一方、ＲＥＧＩＳＴＥＲメッセージに含まれる端末識別子がライセンス情報テーブル２７１中の端末識別子に一致しない場合、稼動系サーバＳＶ１は登録要求元のＩＰ電話端末Ｔ１１に対しライセンス認証コード要求を送信する。この要求に対し、ＩＰ電話端末Ｔ１１から発行時刻情報及びライセンス有効期間情報を付加したライセンス認証コードが送られた場合に、稼動系サーバＳＶ１は発行時刻がライセンス有効期間を超過していないか否かをチェックし、超過していない場合、ＩＰ電話端末Ｔ１１の端末識別子とライセンス認証コードに含まれるシステムＩＤとを対応付けて端末登録テーブル２７３に登録し、ＩＰ電話端末Ｔ１１にＡＣＫ、つまり「端末登録応答」信号を返送する。
【００６６】
一方、要求に対しライセンス認証コードが予め決められた時間経過しても送られない場合や、送られたライセンス認証コードの発行時刻がライセンス有効期間を超えていた場合には、ＩＰ電話端末Ｔ１１に対し登録を受け付けられない旨のメッセージ、つまり「端末削除」メッセージを送信する。
【００６７】
その後、何らかの理由で稼動系サーバＳＶ１に異常が発生した際に、ＩＰ電話端末Ｔ１１がその異常を検知し、待機系サーバＳＶ２に対してＲＥＧＩＳＴＥＲメッセージつまり「端末登録要求」を送信する。
【００６８】
待機系サーバＳＶ２は、ＩＰ電話端末Ｔ１１から送られたＲＥＧＩＳＴＥＲメッセージに含まれる端末識別子と、ライセンス情報テーブル２７１に記憶される端末識別子とを比較してライセンス認証を行う。ここでは、ＩＰ電話端末Ｔ１１の端末識別子「２０００」は、ライセンス情報テーブル２７１に登録されていないので、ＩＰ電話端末Ｔ１１にライセンス認証コード要求を送信する。
【００６９】
そして、ＩＰ電話端末Ｔ１１は、上記要求に対しライセンス認証コード保存部５３１に記憶されているライセンス認証コード及び発行時刻情報及びライセンス有効期間情報を読み出して、待機系サーバＳＶ２へ送信する。
【００７０】
待機系サーバＳＶ２は、ＩＰ電話端末Ｔ１１からライセンス認証コード及び発行時刻情報及びライセンス有効期間情報を受信すると、発行時刻がライセンス有効期間を超過していないか否かをチェックし、超過していない場合、ＩＰ電話端末Ｔ１１の端末識別子とライセンス認証コードに含まれるシステムＩＤとを対応付けて端末登録テーブル２７３に登録し、ＩＰ電話端末Ｔ１１にＡＣＫ、つまり「端末登録応答」信号を返送する。
【００７１】
一方、要求に対しライセンス認証コードが予め決められた時間経過しても送られない場合や、送られたライセンス認証コードの発行時刻がライセンス有効期間を超えていた場合には、ＩＰ電話端末Ｔ１１に対し登録を受け付けられない旨のメッセージ、つまり「端末削除」メッセージを送信する。これに対し、ＩＰ電話端末Ｔ１１は、「端末削除」メッセージを受信した旨の応答メッセージを待機系サーバＳＶ２に返送する。
【００７２】
（認証コードに有効期間が含まれている場合）  
起動時にＩＰ電話端末Ｔ１１から稼働系サーバＳＶ１に対し一定周期でＲＥＧＩＳＴＥＲメッセージが送信され、ＲＥＧＩＳＴＥＲメッセージを受信した稼働系サーバＳＶ１は、ＲＥＧＩＳＴＥＲメッセージに含まれる端末識別子をＨＤＤ２７のライセンス情報テーブル２７１に登録する。
【００７３】
稼働系サーバＳＶ１は、ＩＰ電話端末Ｔ１１からＲＥＧＩＳＴＥＲメッセージを受信すると、ＲＥＧＩＳＴＥＲメッセージに含まれる端末識別子がライセンス情報テーブル２７１中の端末識別子に一致するか否かの判断を行う。そして、一致した場合、稼働系サーバＳＶ１はＩＰ電話端末Ｔ１１にＡＣＫ、つまり「端末登録応答」信号を返送するとともに、図１０に示すように、サービス実行テーブル２７２中のシステムＩＤ「１２３４５」に対応する機能またはハードウェア回路をアクティブにするための指示コードと、当該システムＩＤとを組み合わせてライセンス認証コード（ライセンス認証基本情報）を生成すると共に、ライセンスの有効期間を示すライセンス有効期間情報をライセンス認証コードに付加する。そして、稼働系サーバＳＶ１は、ライセンス有効期間情報を付加したライセンス認証コードをＩＰ電話端末Ｔ１１に送信する。
【００７４】
ＩＰ電話端末Ｔ１１は、稼働系サーバＳＶ１から送られたライセンス認証コード及びライセンス有効期間情報をライセンス認証コード保存部５３１に保存し、稼働系サーバＳＶ１に対しライセンス認証コード受信完了の旨を通知する。ここでＩＰ電話端末Ｔ１１が稼動系サーバＳＶ１に対して登録が完了となる。
【００７５】
一方、ＲＥＧＩＳＴＥＲメッセージに含まれる端末識別子がライセンス情報テーブル２７１中の端末識別子に一致しない場合、稼動系サーバＳＶ１は登録要求元のＩＰ電話端末Ｔ１１に対しライセンス認証コード要求を送信する。この要求に対し、ＩＰ電話端末Ｔ１１からライセンス有効期間情報を付加したライセンス認証コードが送られた場合に、稼動系サーバＳＶ１は図示しないタイマで計時される現在時刻がライセンス有効期間を超過していないか否かをチェックし、超過していない場合、ＩＰ電話端末Ｔ１１の端末識別子とライセンス認証コードに含まれるシステムＩＤとを対応付けて端末登録テーブル２７３に登録し、ＩＰ電話端末Ｔ１１にＡＣＫ、つまり「端末登録応答」信号を返送する。
【００７６】
一方、要求に対しライセンス認証コードが予め決められた時間経過しても送られない場合や、タイマで計時される現在時刻が送られたライセンス認証コードのライセンス有効期間を超えていた場合には、ＩＰ電話端末Ｔ１１に対し登録を受け付けられない旨のメッセージ、つまり「端末削除」メッセージを送信する。
【００７７】
その後、何らかの理由で稼動系サーバＳＶ１に異常が発生した際に、ＩＰ電話端末Ｔ１１がその異常を検知し、待機系サーバＳＶ２に対してＲＥＧＩＳＴＥＲメッセージつまり「端末登録要求」を送信する。
【００７８】
待機系サーバＳＶ２は、ＩＰ電話端末Ｔ１１から送られたＲＥＧＩＳＴＥＲメッセージに含まれる端末識別子と、ライセンス情報テーブル２７１に記憶される端末識別子とを比較してライセンス認証を行う。ここでは、ＩＰ電話端末Ｔ１１の端末識別子「２０００」は、ライセンス情報テーブル２７１に登録されていないので、ＩＰ電話端末Ｔ１１にライセンス認証コード要求を送信する。
【００７９】
そして、ＩＰ電話端末Ｔ１１は、上記要求に対しライセンス認証コード保存部５３１に記憶されているライセンス認証コード及びライセンス有効期間情報を読み出して、待機系サーバＳＶ２へ送信する。
【００８０】
待機系サーバＳＶ２は、ＩＰ電話端末Ｔ１１からライセンス認証コード及びライセンス有効期間情報を受信すると、図示しないタイマで計時される現在時刻がライセンス有効期間内に入っているか否かをチェックし、入っている場合、ＩＰ電話端末Ｔ１１の端末識別子とライセンス認証コードに含まれるシステムＩＤとを対応付けて端末登録テーブル２７３に登録し、ＩＰ電話端末Ｔ１１にＡＣＫ、つまり「端末登録応答」信号を返送する。
【００８１】
一方、要求に対しライセンス認証コードが予め決められた時間経過しても送られない場合や、タイマで計時される現在時刻が送られたライセンス認証コードのライセンス有効期間を超えていた場合には、ＩＰ電話端末Ｔ１１に対し登録を受け付けられない旨のメッセージ、つまり「端末削除」メッセージを送信する。これに対し、ＩＰ電話端末Ｔ１１は、「端末削除」メッセージを受信した旨の応答メッセージを待機系サーバＳＶ２に返送する。
【００８２】
以上のように上記第１の実施形態では、ＩＰ電話端末Ｔ１１の稼働系サーバＳＶ１への登録時に、稼働系サーバＳＶ１のライセンス情報テーブル２７１に、ＩＰ電話端末Ｔ１１の端末識別子と、ＩＰ電話端末Ｔ１１に対し発行されるライセンス認証コードのシステムＩＤとを対応付けて記憶するとともに、登録要求元のＩＰ電話端末Ｔ１１に対しライセンス認証コードに発行時刻情報を付加して送信し、登録要求元のＩＰ電話端末Ｔ１１にて発行時刻情報付きのライセンス認証コードをライセンス認証コード保存部５３１に保持しておくようにしている。
【００８３】
そして、万一、稼働系サーバＳＶ１が異常となった場合に、ＩＰ電話端末Ｔ１１から待機系サーバＳＶ２へ端末登録要求を送信するとともに、ライセンス認証コード保存部５３１に保持されている発行時刻情報付きのライセンス認証コードを送信し、待機系サーバＳＶ２にて発行時刻情報に基づいて、端末識別子とライセンス認証コードのシステムＩＤとを対応付けて端末登録テーブル２７３に記憶し、端末登録テーブル２７３に記憶されたライセンス認証コードのシステムＩＤに基づいて、任意の機能または任意のハードウェア回路を継続して利用できるようにしている。
【００８４】
従って、各ＩＰ電話端末Ｔ１１〜Ｔ１ｎを稼働系サーバＳＶ１に対しライセンス登録を行うだけで、待機系サーバＳＶ２へはライセンス登録を行う必要がなく、万一、登録先の稼働系サーバＳＶ１に異常が発生しても、待機系サーバＳＶ２に登録し直してＩＰ電話端末Ｔ１１にて任意の機能または任意のハードウェア回路を継続して利用することができる。
【００８５】
また、待機系サーバＳＶ２で、ライセンス認証コードに付随する発行時刻情報を利用して、登録要求元のＩＰ電話端末Ｔ１１が正当な端末であるか否かをチェックでき、これにより他のユーザが故意に他の電話端末宛てのライセンス認証コードを盗用しても、誤った端末登録や不正な端末登録が行われないようにすることができる。
【００８６】
また、上記第１の実施形態では、待機系サーバＳＶ２で、ライセンス認証コードに付随する発行時刻情報及びライセンス有効期間情報を利用して、登録要求元のＩＰ電話端末Ｔ１１が有効期限切れの機能またはハードウェア回路を使用しているか否かをチェックでき、これによりユーザがいつまでも古い機能または古いハードウェア回路を使用することを防ぐことができ、また、他のユーザが故意に他の電話端末宛てのライセンス認証コードを盗用しても、誤った端末登録や不正な端末登録が行われないようにすることができる。
【００８７】
さらに、上記第１の実施形態では、待機系サーバＳＶ２で、ライセンス認証コードに付随するライセンス有効期間情報のみを利用して、登録要求元のＩＰ電話端末Ｔ１１が有効期限切れの機能またはハードウェア回路を使用しているか否かをチェックでき、これによりユーザがいつまでも古い機能または古いハードウェア回路を使用することを防ぐことができ、また、他のユーザが故意に他の電話端末宛てのライセンス認証コードを盗用しても、誤った端末登録や不正な端末登録が行われないようにすることができる。
【００８８】
（第２の実施形態）  
第２の実施形態は、待機系サーバにて、ライセンスＮＧのＩＰ電話端末に対し、登録拒否を行うことなく、特定の通信サービスのみ利用できるようにしたものである。
【００８９】
図１１は、第２の実施形態に係る待機系サーバＳＶ２の構成を示すブロック図である。なお、図１１において、上記図６と同一部分には同一符号を付して詳細な説明を省略する。
【００９０】
制御部６１には、サービス制御部６１ｃが新たに備えられる。サービス制御部６１ｃは、上記端末登録制御部６１ａにより端末管理テーブル２７３への登録を拒否された例えばＩＰ電話端末Ｔ１４に対し、予め指定された機能または予め指定されたハードウェア回路を使用した通信サービスを許可する。例えば、緊急発信サービスなどが挙げられる。
【００９１】
次に上記構成における動作について説明する。  
図１２は、端末登録を行う際の稼働系サーバＳＶ１と、待機系サーバＳＶ２と、ＩＰ電話端末Ｔ１１との間の情報の送受信動作を示すシーケンスである。
【００９２】
何らかの理由で稼動系サーバＳＶ１に異常が発生した際に、ＩＰ電話端末Ｔ１１がその異常を検知し、待機系サーバＳＶ２に対してＲＥＧＩＳＴＥＲメッセージつまり「端末登録要求」を送信する（図１２（１））。
【００９３】
待機系サーバＳＶ２は、ＩＰ電話端末Ｔ１１から送られたＲＥＧＩＳＴＥＲメッセージに含まれる端末識別子と、ライセンス情報テーブル２７１に記憶される端末識別子とを比較してライセンス認証を行う（ステップＳＴ１２２ａ）。ここでは、ＩＰ電話端末Ｔ１１の端末識別子「２０００」は、ライセンス情報テーブル２７１に登録されていないので（Ｎｏ）、ＩＰ電話端末Ｔ１１にライセンス認証コード要求を送信する（図１２（２））。
【００９４】
そして、ＩＰ電話端末Ｔ１１は、上記要求に対しライセンス認証コード保存部５３１に記憶されているライセンス認証コード及び発行時刻情報及びライセンス有効期間情報を読み出して、待機系サーバＳＶ２へ送信する（図１２（３））。
【００９５】
待機系サーバＳＶ２は、ＩＰ電話端末Ｔ１１からライセンス認証コード及び発行時刻情報及びライセンス有効期間情報を受信すると、発行時刻がライセンス有効期間を超過しているか否かをチェックし（ステップＳＴ１２２ｂ）、超過していない場合（Ｙｅｓ）、ＩＰ電話端末Ｔ１１の端末識別子とライセンス認証コードに含まれるシステムＩＤとを対応付けて端末登録テーブル２７３に登録し、ＩＰ電話端末Ｔ１１にＡＣＫ、つまり「端末登録応答」信号を返送する（図１２（４））。
【００９６】
一方、上記ステップＳＴ１２２ｂにおいて、要求に対しライセンス認証コードが予め決められた時間経過しても送られない場合や、送られたライセンス認証コードの発行時刻がライセンス有効期間を超えていた場合には、登録要求元のＩＰ電話端末Ｔ１１の端末識別子に非ライセンスを示すフラグを付加して端末登録テーブル２７３に登録する。
【００９７】
いま例えばＩＰ電話端末Ｔ１１のユーザが公衆網上の外部電話端末に対する発信操作を行ったとする（図１２（５））。そうすると、ＩＰ電話端末Ｔ１１からその通話発信要求が待機系サーバＳＶ２に送られる（図１２（６））。
【００９８】
この通話発信要求を受信すると待機系サーバＳＶ２は、通話発信要求に含まれる端末識別子「２０００」に基づいて、端末登録テーブル２７３を参照し、この参照結果から端末識別子「２０００」に非ライセンスを示すフラグが付加されている場合に、通話サービスを受け付けられない旨を示す「サービス拒否」メッセージを発信元のＩＰ電話端末Ｔ１１へ返送する（図１２（７））。
【００９９】
一方、例えばＩＰ電話端末Ｔ１１のユーザが、緊急通報を行うために例えば「１１０」のダイヤル操作を行って緊急発信を行ったとする（図１２（８））。そうすると、ＩＰ電話端末Ｔ１１からその緊急発信要求が待機系サーバＳＶ２に送られる（図１２（９））。
【０１００】
この緊急発信要求を受信すると待機系サーバＳＶ２は、緊急発信要求に含まれる着信先のダイヤル番号を分析し、この分析結果から緊急通報であるか否かの判断を行う（図１２（１０））。ここでは緊急通報の発信要求であるので、待機系サーバＳＶ２は、緊急通報先を呼び出すとともに、サービス受付の旨のメッセージをＩＰ電話端末Ｔ１１へ返送する（図１２（１１））。
【０１０１】
上記呼び出しに対し緊急通報先が応答すると、待機系サーバＳＶ２はＩＰ電話端末Ｔ１１と緊急通報先との間を接続する。従って、ＩＰ電話端末Ｔ１１のユーザは、緊急通報先との間で緊急通話を行うことができる。
【０１０２】
以上のように上記第２の実施形態では、待機系サーバＳＶ２で、例えばＩＰ電話端末Ｔ１１のライセンス認証コードが期限切れになっていたとしても、例えば緊急を要するような通話などを許可することによって、稼働系サーバＳＶ１の異常が復旧するまで待つ必要がなく、これによりユーザの利便性を向上できる。
【０１０３】
（その他の実施形態）  
上記各実施形態では、運用系、待機系のような冗長構成システムを例としたが、これ以外に他のサーバへ移動して端末を利用するモビリティの際の複数サーバ構成にも適用可能である。
【０１０４】
また、第１、第２のサーバは物理的に分離している必要はなく、物理的に１台のサーバ上に仮想サーバを複数構成しても良い。
【０１０５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０６】
１…ＩＰネットワーク、２１…制御部、２２…ノースブリッジ、２３…主メモリ、２４…ビデオコントローラ、２５…表示部、２６…サウスブリッジ、２７…ＨＤＤ、２８…マルチドライブ、２９…ＬＡＮコントローラ、３０…インタフェース部、３１…ＰＣカードコントローラ、３３…ＢＩＯＳ−ＲＯＭ、２１ａ…ライセンス実行部、２１ｂ…ライセンス認証部、２１ｃ…ライセンス認証コード生成部、２１ｄ…ライセンス認証コード送信部、２１ｅ…端末登録制御部、２１ｆ…サービス制御部、５１…伝送部、５２…通話処理部、５３…制御部、５４…操作パネル、５５…ハンドセット、５３１…ライセンス認証コード保存部、５３２…サーバ切替制御部、６１ａ…端末登録制御部、６１ｂ…ライセンス実行制御部、６１ｃ…サービス制御部、ＳＶ１…稼働系サーバ、ＳＶ２…待機系サーバ、Ｔ１１〜Ｔ１ｎ…ＩＰ電話端末。
【図１】
2012253454.tif 000003
【図２】
2012253454.tif 000004
【図３】
2012253454.tif 000005
【図４】
2012253454.tif 000006
【図５】
2012253454.tif 000007
【図６】
2012253454.tif 000008
【図７】
2012253454.tif 000009
【図８】
2012253454.tif 000010
【図９】
2012253454.tif 000011
【図１０】
2012253454.tif 000012
【図１１】
2012253454.tif 000013
【図１２】
2012253454.tif 000014